(57)【要約】【課題】  取扱いが簡単でかつ安全であり、しかも簡素な構造で安価なブラケットを提供する。【解決手段】  Ｌ字形のブラケット本体１５の頂面板１３に前面板１８を後面板１４に対して接離するように移動可能に支持する。前面板１８側に開口するネジ孔２３ａを有する桿材２３を頂面板１３の裏面に固着する。後面板１４下端の第１受け片１７と前面板１８下端の第２受け片２１とでヘッドレール７下面の幅方向両端側を受けた状態で、ネジ２４を前面板１８のネジ挿通孔１９ａを経て桿材２３のネジ孔２３ａに螺合し前面板１８を動かないように固定する。【選択図】  図１
2007000513.tif 000002
【特許請求の範囲】
【請求項１】
遮光部材を吊下げ支持する支持フレームを室内の固定側に取り付ける遮光部材吊下げ用ブラケットであって、
頂面板の一端に後面板が垂設され該後面板の下端に上記支持フレーム下面の幅方向一端側を受ける第１受け片が形成されたＬ字形のブラケット本体と、
上端側にネジ挿通孔が形成されているとともに下端に上記支持フレーム下面の幅方向他端側を受ける第２受け片が形成され上記頂面板の他端側に上記後面板に対して接離するように移動可能に支持された前面板と、
上記頂面板の裏面に固着され上記前面板側に開口するネジ孔を有する桿材と、
上記第１受け片と第２受け片とで支持フレーム下面の幅方向両端側を受けた状態で上記前面板のネジ挿通孔を経て上記桿材のネジ孔に螺合され前面板を動かないように固定するネジとを備えたことを特徴とする遮光部材吊下げ用ブラケット。
【発明の詳細な説明】
【技術分野】
【０００１】
この発明は、ローマンシェードやブラインド等において、遮光部材（生地、スラット）を吊下げ支持する支持フレーム（ヘッドレール、ヘッドボックス）を室内の固定側（天井、壁、窓枠）に取り付ける遮光部材吊下げ用ブラケットの改良に関するものである。
【背景技術】
【０００２】
上述の如きブラケットとして、特許文献１に開示されているブラケットでは、頂面板の一端に後面板が垂設されたＬ字形のブラケット本体と、上記頂面板の他端に回動可能に取り付けられた前面板と、上記後面板の下端に回動可能に取り付けられた底面板とを備え、上記前面板及び底面板の各々の先端を係合連結することにより、ブラケット本体、前面板及び底面板で支持フレームを包持して支持フレームをブラケットに取り付けるようにしている。
【０００３】
一方、特許文献２に開示されているブラケットでは、頂面板の一端に後面板が垂設されたＬ字形のブラケット本体と、上記頂面板の裏面に上記後面板に対して接離するようにコイルスプリングのバネ力で移動可能に付勢支持されたブロック体とを備え、支持フレームの一端を上記ブロック体の一端に係合させた状態で、他端を上記後面板から突出する突片に摺接させることにより、ブロック体を上記コイルスプリングのバネ力に抗して後面板から離れる方向に移動させながら支持フレームの他端をブロック体の他端に係合させ、支持フレームをブラケットに取り付けるようにしている。
【特許文献１】特開２００３−２７８４６５号公報（第３頁、図６〜８）
【特許文献２】実用新案登録第２５７１３９３号公報（第２，３頁、図１，４）
【発明の開示】
【発明が解決しようとする課題】
【０００４】
しかし、特許文献１，２では、遮光部材や支持フレームの荷重がブラケットに掛かっているので、遮光部材を洗濯する際や新たな遮光部材に交換する際等に、ブラケットや支持フレームの係合状態を解除するのに大きな力が必要で支持フレームをブラケットから取り外し難い。しかも、支持フレームをブラケットから取り外すと、支持フレームは遮光部材の荷重が掛かっていて勢いよく落下しようとするため、非常に危険である。また、遮光部材及び支持フレームをブラケットに取り付ける際には、作業者がこれらを手で持っていなければならず、取付作業が大変である。さらに、特許文献２のブラケットは、ブロック体が移動式であるため構造が複雑で高価なものになる。
【０００５】
この発明はかかる点に鑑みてなされたものであり、その目的とするところは、取扱いが簡単でかつ安全であり、しかも簡素な構造で安価なブラケットを提供することである。
【課題を解決するための手段】
【０００６】
上記の目的を達成するため、この発明は、特に、支持フレームをブラケットに取り付ける際の支持フレームの受け構造に工夫を凝らしたことを特徴とする。
【０００７】
具体的には、この発明は、遮光部材を吊下げ支持する支持フレームを室内の固定側に取り付ける遮光部材吊下げ用ブラケットを対象とし、次のような解決手段を講じた。
【０００８】
すなわち、この発明は、頂面板の一端に後面板が垂設され該後面板の下端に上記支持フレーム下面の幅方向一端側を受ける第１受け片が形成されたＬ字形のブラケット本体と、上端側にネジ挿通孔が形成されているとともに下端に上記支持フレーム下面の幅方向他端側を受ける第２受け片が形成され上記頂面板の他端側に上記後面板に対して接離するように移動可能に支持された前面板と、上記頂面板の裏面に固着され上記前面板側に開口するネジ孔を有する桿材と、上記第１受け片と第２受け片とで支持フレーム下面の幅方向両端側を受けた状態で上記前面板のネジ挿通孔を経て上記桿材のネジ孔に螺合され前面板を動かないように固定するネジとを備えたことを特徴とする。
【発明の効果】
【０００９】
この発明によれば、支持フレームを第１受け片と第２受け片とで両側から受けているので、ネジには遮光部材や支持フレームの荷重は掛からず、ネジの螺進退操作が簡単であり、しかも、支持フレームを取り外す際や取り付ける際等に支持フレームを作業者が支持しておかずに済み、取外し及び取付け作業を容易に行うことができる。また、取外し作業時にネジを弛めても支持フレームは落下せず、取外し作業を安全に行うことができる。さらに、ブラケット本体に前面板を移動可能に支持するとともに、これらブラケット本体及び前面板にそれぞれ受け片を形成し、ネジで前面板を固定するだけでよいので、簡素な構造で製作費を低減することができる。
【発明を実施するための最良の形態】
【００１０】
以下、この発明の実施の形態について図面に基づいて説明する。
【００１１】
図８はこの発明の実施の形態に係る遮光部材吊下げ用ブラケットが適用されたローマンシェードＡを示すが、ブラインドにも適用することができるものである。このローマンシェードＡは、遮光部材としてのドレープカーテンからなる室内側生地１ａと、同じく遮光部材としてのレースカーテンからなる窓側生地１ｂとを前後に配置したダブルタイプである。これら生地１ａ，１ｂの下端内部には、１本のウェイトバー２が幅方向全体に亘って取り付けられているとともに、該ウェイトバー２から上方の生地１ａ，１ｂ内部には、複数本のタックバー３が上下方向に所定間隔をあけて上記ウェイトバー２と平行になるように幅方向全体に亘って取り付けられている。上記ウェイトバー２から１本置きのタックバー３の両端内寄り２箇所には、リング４が１個ずつ取り付けられ、これらリング４は左右２列にかつ上下に直線状に配設されている。そして、室内側生地１ａの２列のリング４には上から順に室内側操作コード５ａがそれぞれ挿通され、該室内側操作コード５ａの一端はウェイトバー２の連結具６に連結されている。同様に、窓側生地１ｂの２列のリング４にも上から順に窓側操作コード５ｂがそれぞれ挿通され、該窓側操作コード５ｂの一端はウェイトバー２の連結具６に連結されている。
【００１２】
上記生地１ａ，１ｂは、支持フレームとしてのヘッドレール７に昇降可能に取り付けられて吊下げ支持されている。該ヘッドレール７は、図１にも示すように、上面に断面コ字形の溝部７ａが全長に亘って幅広に形成され、下面に断面蟻溝形の圧入溝からなる室内側レール部８ａと窓側レール部８ｂとが長手方向全長に亘って平行に形成されている。このヘッドレール７は、レール部８ａ，８ｂが断面蟻溝形であるため、加工上の観点から木製が好ましいが、樹脂製や金属製であってもよい。一方、上記生地１ａ，１ｂの上端内部には、１本の圧入バー９が幅方向全体に亘って取り付けられ、圧入バー９を上記レール部８ａ，８ｂに図７で矢印で示すようにヘッドレール７の一端側から圧入することで、生地１ａ，１ｂがヘッドレール７に抜き差し可能に吊下げ支持されるようになっている。生地１ａ，１ｂを洗濯する際や新たな生地１ａ，１ｂに交換する際等には、生地１ａ，１ｂの上端を手で持ってヘッドレール７に沿って挿入方向と逆方向に引っ張ることで、圧入バー９をレール部８ａ，８ｂから引き抜くことができる。
【００１３】
上記ヘッドレール７の一端側には、周知の室内側ストッパ機構１０ａと窓側ストッパ機構１０ｂとが装備されている。これらストッパ機構１０ａ，１０ｂには上記操作コード５ａ，５ｂが２本ずつ連係され、該操作コード５ａ，５ｂの一端が上記ヘッドレール７の両端寄りでレール部８ａ，８ｂ側方に穿設された挿通孔（図示せず）を挿通して生地１ａ，１ｂの左右２列のリング４を経て下端の連結具６に連結され、操作コード５ａ，５ｂの他端はストッパ機構１０ａ，１０ｂから室内側に垂下されている。室内側に２本ずつ垂下する操作コード５ａ，５ｂの途中には、生地１ａ，１ｂを傾くことなく均等に昇降させるためのイコライザ１１ａ，１１ｂが取り付けられている。
【００１４】
上記ヘッドレール７は、２個の金属製ブラケット１２で室内の固定側である天井、壁又は窓枠に取り付けられ、該ヘッドレール７に吊下げ支持された生地１ａ，１ｂで窓を覆うようになっている。
【００１５】
上記ブラケット１２は、図１〜６に示すように、矩形の頂面板１３の一端（窓側）に矩形の後面板１４が一体に垂設されたＬ字形のブラケット本体１５を備えている。上記頂面板１３には天井付け用のネジ挿通孔１３ａが横並びに２個形成され、かつ頂面板１３の両側端にはガイド板部１６がそれぞれ下方に直角に折曲げ形成され、該各ガイド板部１６下端にはガイド片１６ａが内向きに直角に折曲げ形成されている。一方、上記後面板１４には壁付け用又は窓枠付け用のネジ挿通孔１４ａが横並びに２個形成されているとともに、その上方にはカシメ用孔１４ｂが１個形成され、かつ後面板１４の下端には上記ヘッドレール７下面の幅方向一端側（窓側の端部）を受ける第１受け片１７が室内側に向かって直角に折曲げ形成されている。また、後面板１４の両側端部には当接部１４ｃが折曲げ形成され、ヘッドレール７をブラケット１２で支持した状態で該当接部１４ｃがヘッドレール７の後端面に当接するようになっている。
【００１６】
上記頂面板１３の他端側（室内側）には前面板１８が配置されている。該前面板１８は、五角形の上半板部１９と矩形細身の下半板部２０とで一体に形成され、上記上半板部１９上端側にネジ挿通孔１９ａが形成されているとともに、上記下半板部２０下端に上記ヘッドレール７下面の幅方向他端側を受ける第２受け片２１が折曲げ形成されている。また、上記上半板部１９の幅方向両端には、後面板１４側に延びるガイドフレーム２２がそれぞれ平行に一体に突設されている。これらガイドフレーム２２は上記頂面板１３のガイド片１６ａに載せられ、上記前面板１８が頂面板１３の他端側（室内側）に後面板１４に対して接離するように移動可能に支持されている。
【００１７】
上記頂面板１３裏面の幅方向中央には、断面円形の桿材２３が長手方向に沿って一体に固着されている。該桿材２３の室内側略半分の領域には、上記前面板１８側に開口するネジ孔２３ａが形成されているとともに、窓側端部にはカシメ用突起２３ｂが突設され、該カシメ用突起２３ｂを上記後面板１４のカシメ用孔１４ｂに挿入して桿材２３が後面板１４にカシメ結合されている。そして、上記第１受け片１７と第２受け片２１とでヘッドレール７下面の幅方向両端側を受けた状態で、ネジ２４を上記前面板１８のネジ挿通孔１９ａを経て上記桿材２３のネジ孔２３ａに螺合して前面板１８を動かないように固定するようになっている。
【００１８】
次に、ローマンシェードＡの設置要領について説明する。
【００１９】
まず、２個のブラケット１２をヘッドレール７の長さに応じて間隔をあけて室内の固定側（天井、壁、窓枠）に取り付ける。固定側が天井である場合には、頂面板１３の２個のネジ挿通孔１３ａにネジを挿通してブラケット１２を天井に固定する。固定側が壁又は窓枠である場合には、後面板１４の２個のネジ挿通孔１４ａにネジを挿通してブラケット１２を壁に固定する。この際、桿材２３のネジ孔２３ａに螺合しているネジ２４を予め弛めて前面板１８を後面板１４から遠ざけ、両者の間隔をヘッドレール７の幅よりも大きくしておく。
【００２０】
次いで、ヘッドレール７を上記２個のブラケット１２に橋絡し、後面板１４の第１受け片１７と前面板１８の第２受け片２１とでヘッドレール７下面の幅方向両端側を受ける。
【００２１】
その後、上記ネジ２４を締めて前面板１８を後面板１４に接近させ、ヘッドレール７を前面板１８と後面板１４とで動かないように挟持する。
【００２２】
しかる後、窓側生地１ｂの圧入バー９を窓側レール部８ｂに図７で矢印で示すようにヘッドレール７の一端側から圧入し、窓側生地１ｂをヘッドレール７に吊下げ支持した後、２本の窓側操作コード５ｂの一端を２列のリング４に上から順に挿通し、一番下のウェイトバー２の連結具６に連結する。
【００２３】
同様に、室内側生地１ａの圧入バー９を室内側レール部８ａに図７で矢印で示すようにヘッドレール７の一端側から圧入し、室内側生地１ａをヘッドレール７に吊下げ支持した後、２本の室内側操作コード５ａの一端を２列のリング４に上から順に挿通し、一番下のウェイトバー２の連結具６に連結する。これにより、ダブルタイプのローマンシェードＡの設置が完了する。
【００２４】
このように構成されたローマンシェードＡでは、室内側操作コード５ａ又は窓側操作コード５ｂを下に引っ張ると、室内側生地１ａ又は窓側生地１ｂが上昇し、手を弛めると停止する。この間、上下に隣り合う連結具６やリング４が互いに当接することによってその間の生地１ａ（１ｂ）がタックバー３を境に折り畳まれて襞を形成しながらたくし上げられる。生地１ａ（１ｂ）を下げるには、操作コード５ａ（５ｂ）を少し下に引っ張った後に手を弛めることで行われる。これらの昇降停止動作はストッパ機構１０ａ（１０ｂ）が司っている。
【００２５】
このように、この実施の形態では、ヘッドレール７をブラケット１２の後面板１４の第１受け片１７と前面板１８の第２受け片２１とで両側から受けているので、生地１ａ（１ｂ）やヘッドレール７の荷重がネジ２４に掛からないようにしてネジ２４の螺進退操作を簡単に行うことができる。しかも、ヘッドレール７を取り外す際や取り付ける際にヘッドレール７を作業者が支持しておかずに済むので、取外し及び取付け作業を容易に行うことができる。また、取外し作業時にネジ２４を弛めてもヘッドレール７は落下しないので、取外し作業を安全に行うことができる。
【００２６】
さらに、この実施の形態では、ブラケット本体１５に前面板１８を移動可能に支持するとともに、これらブラケット本体１５及び前面板１８にそれぞれ受け片１７，２１を形成し、ネジ２４で前面板１８を固定するだけなので、ブラケット１２の構造の簡素化及び製作費の低減化を図ることができる。
【００２７】
また、この実施の形態では、生地１ａ，１ｂを洗濯する際や新たな生地１ａ，１ｂに交換する際等には、生地１ａ，１ｂの上端を手で持ってヘッドレール７に沿って側方に引っ張れば、圧入バー９がレール部８ａ，８ｂから引き抜かれて生地１ａ，１ｂを簡単にヘッドレール７から取り外すことができる。逆に、生地１ａ，１ｂをヘッドレール７に取り付ける場合には、生地１ａ，１ｂの上端を手で持って圧入バー９をヘッドレール７の一端側からレール部８ａ，８ｂに圧入するだけで生地１ａ，１ｂを簡単にヘッドレール７に取り付けることができる。この取付け状態で、圧入バー９は断面蟻溝形のレール部８ａ，８ｂに圧入されているので、生地１ａ，１ｂに身体や物を引っ掛けたりするなどして思わぬ外力が生地１ａ，１ｂに掛かったり、昇降操作時の衝撃が生地１ａ，１ｂに掛かっても、生地１ａ，１ｂの落下を確実に防止することができる。
【産業上の利用可能性】
【００２８】
この発明は、ローマンシェードやブラインド等において、遮光部材（生地、スラット）を吊下げ支持する支持フレーム（ヘッドレール、ヘッドボックス）を室内の固定側（天井、壁、窓枠）に取り付ける遮光部材吊下げ用ブラケットとして有用である。
【図面の簡単な説明】
【００２９】
【図１】ローマンシェードのヘッドレール部分を示す断面図である。
【図２】ブラケットの斜視図である。
【図３】ブラケットの側面図である。
【図４】ブラケットの底面図である。
【図５】ブラケットの正面図である。
【図６】ブラケットの背面図である。
【図７】生地をヘッドレールに取り付ける前の背面図である。
【図８】ローマンシェードの全体を示す斜視図である。
【符号の説明】
【００３０】
１ａ    室内側生地（遮光部材）
１ｂ    窓側生地（遮光部材）
７      ヘッドレール（支持フレーム）
１２    ブラケット
１３    頂面板
１４    後面板
１５    ブラケット本体（ブラケット本体）
１７    第１受け片
１８    前面板
１９ａ  ネジ挿通孔
２１    第２受け片
２３    桿材
２３ａ  ネジ孔
２４    ネジ
【図１】
2007000513.tif 000003
【図２】
2007000513.tif 000004
【図３】
2007000513.tif 000005
【図４】
2007000513.tif 000006
【図５】
2007000513.tif 000007
【図６】
2007000513.tif 000008
【図７】
2007000513.tif 000009
【図８】
2007000513.tif 000010